(57)【要約】【解決手段】本発明は、内視鏡ヘッド（１）と、内視鏡ヘッド（１）に取付可能なアルバランレバー（２）とを有する内視鏡に関する。アルバランレバー（２）は、内視鏡の作業通路を通して挿通可能な器具が接触することができる器具案内面（２０）と、内視鏡の近位の側から操作可能な内視鏡の内視鏡ヘッド（１）の力伝達区域（１０）に形状接合式に係止するための係止装置（２１，２２）とを有しており、力伝達区域（１０）はアルバランレバー（２）を旋回させるための力をアルバランレバー（２）へ伝達する。
2019531143.tif 000002
【特許請求の範囲】
【請求項１】
内視鏡ヘッド（１）と、前記内視鏡ヘッド（１）に取付可能なアルバランレバー（２）とを有する内視鏡において、前記アルバランレバー（２）は、
内視鏡の作業通路を通して挿通可能な器具が接触することができる器具案内面（２０）と、
前記内視鏡の近位の側から操作可能な前記内視鏡の前記内視鏡ヘッド（１）の力伝達区域（１０）に形状接合式に係止するための係止装置（２１，２２）とを有しており、前記力伝達区域（１０）は前記アルバランレバー（２）を旋回させるための力を前記アルバランレバー（２）へ伝達する内視鏡。
【請求項２】
前記係止装置（２１，２２）は前記アルバランレバー（２）の近位の側で、前記内視鏡ヘッド（１）の前記力伝達区域（１０）のシャフト区域（１１）の反対形状に相当する幾何学形状（２１）を有しており、
このシャフト区域（１１）に前記アルバランレバー（２）を外嵌可能であり、
前記係止装置（２１，２２）の係止手段（２２）が前記内視鏡ヘッド（１）の前記力伝達区域（１０）の前記シャフト区域（１１）からの前記アルバランレバー（２）の脱落を防止することができる、請求項１に記載の内視鏡。
【請求項３】
前記係止手段（２２）は前記器具案内面（２０）と反対を向くほうの前記アルバランレバー（２）の側に設けられている、請求項１または２に記載の内視鏡。
【請求項４】
前記係止手段（２２）は、前記アルバランレバー（２）に設けられる、前記アルバランレバー（２）に対して相対的に可動の係止レバー（２２）として構成される、請求項１から３のいずれか１項に記載の内視鏡。
【請求項５】
前記アルバランレバー（２）は前記器具案内面（２０）と反対を向くほうの前記アルバランレバー（２）の側に回転シャフト（２３）を有しており、前記係止レバー（２２）は前記アルバランレバー（２）に対して相対的に回転シャフト（２３）で回転可能である、請求項４に記載の内視鏡。
【請求項６】
前記係止手段は、前記アルバランレバー（２）に設けられる、前記アルバランレバー（２）に対してスライド可能なスライダとして構成される、請求項１から３のいずれか１項に記載の内視鏡。
【請求項７】
前記係止手段（２２）は、前記器具案内面（２０）と反対を向くほうの前記アルバランレバー（２）の側に、前記係止手段（２２）を操作するための操作装置（２５）を有している、請求項１から６のいずれか１項に記載の内視鏡。
【請求項８】
前記アルバランレバー（２）はプラスチックで製作される、請求項１から７のいずれか１項に記載の内視鏡。
【請求項９】
前記内視鏡ヘッドの前記力伝達区域（１０）のシャフト区域（１１）と、前記アルバランレバー（２）の前記係止装置（２１，２２）とが形状接合式に結合し、これらによって前記アルバランレバー（２）を旋回させるための力を前記内視鏡ヘッド（１）から前記アルバランレバー（２）へと伝達可能である、請求項２に記載の内視鏡。
【請求項１０】
前記アルバランレバー（２）の前記係止装置（２１，２２）の幾何学形状は前記内視鏡ヘッド（１）の前記力伝達区域（１０）の前記シャフト区域（１１）の幾何学形状に対する反対形状を形成する、請求項９に記載の内視鏡。
【請求項１１】
前記内視鏡は前記内視鏡ヘッド（１）の外側円周に遠位の側から装着可能なキャップを有しており、
前記キャップは前記アルバランレバー（２）を操作するための牽引ワイヤ（３）とは別個である、請求項１から１０のいずれか１項に記載の内視鏡。
【請求項１２】
前記内視鏡は十二指腸内視鏡である、請求項１から１１のいずれか１項に記載の内視鏡。
【発明の詳細な説明】
【技術分野】
【０００１】
本発明は、内視鏡ヘッドと、内視鏡ヘッドに取付可能なアルバランレバーとを有する内視鏡に関する。
【背景技術】
【０００２】
このようなアルバランレバーは、内視鏡において、たとえば食道あるいは十二指腸、胆管、胆のう、膵管、膵臓などを検査するために利用することができる。
このような内視鏡は光学系（照明装置とカメラ）を有する。さらに内視鏡は作業通路の出口のところに、作業通路に差し込まれる器具の的確な方向転換を旋回によって可能にするアルバランレバーを有する。
【０００３】
内視鏡の用途に応じて、内視鏡は前処理が施される。このような前処理はバクテリア、ウイルス、真菌類、虫、あるいはカビなどあらゆる細菌や微生物の伝播を確実に排除しなければならない。前処理の際には、有機物質や化学品の残滓を残留物なしに取り除くために、まず内視鏡が手作業で洗浄される。洗浄後、機械式の殺菌または滅菌が行われる。このようにして、内視鏡の使用時に内視鏡が接触した細菌や微生物などが、次回の使用時に患者へ伝播するのを回避することが意図される。
【０００４】
たとえば特許文献１は、アルバランレバーを有する内視鏡を開示している。厳密に言うとこの内視鏡は、内視鏡から取外し可能な支持体を有していて、これにアルバランレバーが、支持体で支持される軸に旋回可能に配置されている。アルバランレバーの旋回は、アルバランレバーに定着されて内視鏡に挿通される牽引ワイヤを介して惹起される。
【先行技術文献】
【特許文献】
【０００５】
【特許文献１】ドイツ特許第１９６２７０１６Ｃ１
【発明の概要】
【発明が解決しようとする課題】
【０００６】
本発明の課題は、内視鏡が接触した細菌が次回の使用時に患者へ伝播することがいっそう良好に回避される内視鏡を提供することにある。
【課題を解決するための手段】
【０００７】
この課題は、請求項１の構成要件を有する内視鏡によって解決される。好ましい発展例は従属請求項の対象である。
【０００８】
本発明による内視鏡では、内視鏡ヘッドに取付可能なアルバランレバーは、内視鏡の作業通路を通して挿通可能な器具が接触することができる器具案内面と、内視鏡の近位の側から操作可能な内視鏡の内視鏡ヘッドの力伝達区域に形状接合式に係止するための係止装置とを有しており、力伝達区域はアルバランレバーを旋回させるための力をアルバランレバーへと伝達する。
【０００９】
このようなアルバランレバーは内視鏡と容易に係止し、再び外すことができる。このように、アルバランレバーを使い捨て物品として構想することができる。このようなアルバランレバーは１回の使用後に処分して、未使用のアルバランレバーと取り替えることができる。それにより、内視鏡が次回の患者で使用されるときに、アルバランレバーが細菌を伝播させ得ないことを保証することができる。使用済みのアルバランレバーは、当然ながら、洗浄と滅菌に回すこともできる。
【００１０】
係止装置はアルバランレバーの近位の側で、内視鏡ヘッドの力伝達区域のシャフト区域の反対形状に相当する幾何学形状を有することができる。このシャフト区域にアルバランレバーを外嵌可能である。係止装置の係止手段が、内視鏡ヘッドの力伝達区域のシャフト区域からのアルバランレバーの脱落を防止することができる。このように、アルバランレバーを非常に簡素な構造で内視鏡に係止し、再び外すことができる。形状に基づく係止は、内視鏡からのアルバランレバーの誤った脱落に対する十分な確実性を、係止された状態に付与する。
【００１１】
係止手段は、器具案内面と反対を向くほうのアルバランレバーの側に設けられていてよい。このようにして、アルバランレバーの係止の際に関与する各部材が、作業通路と器具案内面との間に挿通される器具の妨げになることがない。
【００１２】
係止手段は、アルバランレバーに設けられる、アルバランレバーに対して相対的に可動の係止レバーとして構成されていてよい。係止レバーはアルバランレバーに対して回転可能であってよい。アルバランレバーは、器具案内面と反対を向くほうのアルバランレバーの側に回転シャフトを有することができ、係止レバーはアルバランレバーに対して相対的に回転シャフトで回転可能である。
【００１３】
別案として係止手段は、アルバランレバーに設けられる、アルバランレバーに対してスライド可能なスライダとして構成されていてよい。スライダはアルバランレバーに対してスライド可能であってよい。
【００１４】
係止手段は、器具案内面と反対を向くほうのアルバランレバーの側に、係止手段を操作するための操作装置を有することができる。このように係止手段も、作業通路と器具案内面の間に挿通される器具にとって妨げとならないように、アルバランレバーに配置される。このような操作装置は、係止レバーまたはスライダで適用可能である。
【００１５】
アルバランレバーはプラスチックで製作されていてよい。このようにしてアルバランレバーが低コストになり、したがって使い捨て部品として良く適している。
【００１６】
本発明による内視鏡に、内視鏡ヘッドの力伝達区域のシャフト区域と、アルバランレバーの係止装置とを形状接合式に結合することができ、これらによって、アルバランレバーを旋回させるための力を内視鏡ヘッドからアルバランレバーへと伝達可能である。
【００１７】
アルバランレバーの係止装置の幾何学形状は、内視鏡ヘッドの力伝達区域のシャフト区域の幾何学形状に対する反対形状を形成することができる。
【００１８】
内視鏡は、内視鏡ヘッドの外側円周に遠位の側から装着可能なキャップを有することができる。このようにして、内視鏡ヘッドの遠位区域とアルバランレバーとがキャップによって保護される。このキャップはアルバランレバーを操作するための牽引ワイヤとは別個である。そして遠位の側から内視鏡ヘッドに外嵌されるキャップに、アルバランレバーがキャップに対して相対的に旋回可能に配置される。キャップは開口部を有していて、これを通してマイクロ器具を押し込むことができる。キャップは内視鏡ヘッドの遠位の側に組付け可能である。
【００１９】
内視鏡は十二指腸内視鏡であってよい。
上に説明した本発明の各態様を適切に組み合わせることができる。
【図面の簡単な説明】
【００２０】
【図１】本発明の一実施例のアルバランレバーを有する内視鏡ヘッドを示す模式的な斜視図である。
【図２】図１の内視鏡ヘッドを示す模式的な斜視図であり、アルバランレバーは外されている。
【図３】図１のアルバランレバーを有する内視鏡ヘッドを示す模式的な斜視図であり、図面の見やすさの都合上、内視鏡ヘッドのハウジングは省略されている。
【図４】図３に類似する模式的な斜視図であり、アルバランレバーは外されている。
【図５】アルバランレバーが組み付けられた内視鏡ヘッドを示す模式的な側面図である。
【図６】アルバランレバーが組み付けられていない内視鏡ヘッドを示す模式的な側面図である。
【図７】係止レバーが係止された状態にある実施例のアルバランレバーを示す模式的な側面図である。
【図８】係止レバーが係止されていない状態にある実施例のアルバランレバーを示す模式的な側面図である。
【図９】係止レバーが係止された状態にある実施例のアルバランレバーを示す模式的な斜視図である。
【図１０】係止レバーが係止されていない状態にある実施例のアルバランレバーを示す模式的な斜視図である。
【発明を実施するための形態】
【００２１】
以下において、図面を参照しながら実施例を用いて本発明を詳しく説明する。
【００２２】
実施例１
以下において、図１〜図１０を参照しながら、本発明の第１の実施例について説明する。
まず、図１〜図６を参照しながら、本発明による内視鏡ヘッド１について説明する。
【００２３】
本発明による内視鏡ヘッド１は円筒状の躯体として構成されるとともに、内視鏡ヘッド１の長手方向に沿って互いに平行にそれぞれ延びる作業通路１２とワイヤ牽引通路１３を有している。ワイヤ牽引通路１３は、アルバランレバー２を操作するための牽引ワイヤ３を挿通する。作業通路１２は、たとえば食道あるいは十二指腸、胆管、胆のう、膵管、膵臓などを検査するためのマイクロ器具を挿通する。
【００２４】
内視鏡ヘッド１は遠位の側に光学系延伸部１Ａを有していて、これにカメラ１７と照明装置１８が周知の仕方で設けられており、この光学系延伸部は図１では斜視図の後側に示されている。
【００２５】
作業通路１２は遠位端から間隔をおく内視鏡ヘッド１の区域で終わっており、そこで作業通路の遠位の出口開口部を形成する。
【００２６】
作業通路１２の遠位の出口の遠位側に、内視鏡ヘッド１に対して相対的に旋回することができるアルバランレバー２が配置される。このように作業通路１２は、遠位の方向でアルバランレバー２に向かって延びている。
【００２７】
内視鏡ヘッド１は遠位の側に、図１では斜視図の前側に示された、アルバランレバー支持延伸部１Ｂを有している。アルバランレバー支持延伸部１Ｂには旋回シャフト１０が、光学系延伸部１Ａとアルバランレバー支持延伸部１Ｂの間の内部空間へと突き出すように支承されている。旋回シャフト１０は、回転運動力をアルバランレバー２に印加する力伝達区域を形成する。旋回シャフト１０はいわばアルバランレバー２の回転シャフトである。
【００２８】
より厳密に言えば、アルバランレバー２のための回転運動力は牽引ワイヤ３によって印加され、そのワイヤ牽引ニップルがレバー部材９の一方の端部に連結されている。レバー部材９の他方の端部は、アルバランレバー支持延伸部１Ｂに支承された旋回シャフト１０の端部と一体的に結合されている。これと反対側の旋回シャフト１０の端部は、アルバランレバー支持延伸部１Ｂから光学系延伸部１Ａに向かって突き出すシャフト区域１１を形成する。
【００２９】
アルバランレバー２は、光学系延伸部１Ａとアルバランレバー支持延伸部１Ｂの間の内部空間に突入する、旋回シャフト１０のこのシャフト区域１１に装着される。シャフト区域１１は、作業通路１２の遠位の出口開口部に向かい合うように位置決めされる。
【００３０】
このように旋回シャフト１０は、アルバランレバー支持延伸部１Ｂの内部に配置される端部を有している。シャフト区域１１と反対を向くほうの旋回シャフト１０の端部では、レバー部材９を介して牽引ワイヤ３が作用する。換言すると、牽引ワイヤ３の遠位端は、シャフト区域１１と反対を向くほうの旋回シャフト１０の端部と作用接続されている。したがって、近位の方向に行われる牽引ワイヤ３の牽引が旋回シャフト１０の回転を惹起する。
【００３１】
シャフト区域１１と反対を向くほうの旋回シャフト１０の端部は、周囲に対して密閉されている。牽引ワイヤ３はワイヤ牽引通路の中に配置されている。ワイヤ牽引通路も同じく周囲に対して密閉されている。このように牽引ワイヤ３は、内視鏡ヘッド１の周囲と接触をしない。牽引ワイヤ３の遠位端、レバー部材９、およびシャフト区域１１と反対を向くほうの旋回シャフト１０の端部が中に配置される密閉された空間が、アルバランレバー支持延伸部１Ｂに設けられている。この密閉された空間は、近位の側に向かってワイヤ牽引通路を介して開いているにすぎない。
【００３２】
旋回シャフト１０のシャフト区域１１は、旋回シャフト１０の長手方向に底面としての四角形を有するまっすぐな角柱の形状を有している。たとえばシャフト区域１１の形状として三角や四角を選択することができる。本実施例では、シャフト区域１１は四角形で構成されている。図３および図６を参照。
【００３３】
以下において、図７〜図１０を参照しながらアルバランレバー２について説明する。
アルバランレバー２は近位の側に、シャフト区域１１の形状に対して反対形状を形成する嵌込み形状部２１を有している。嵌込み形状部２１は、旋回シャフト１０の回転をアルバランレバー２に伝達することができなければならない。本実施例では、嵌込み形状部２１は四角形で構成されており、その様子は図５および図７〜図１０に示されている。
【００３４】
アルバランレバー２は、嵌込み形状部２１が近位の方向に向くように内視鏡ヘッド１に組み付けられる。嵌込み形状部２１は、アルバランレバー２がシャフト区域１１に外嵌されたとき、シャフト区域１１の円周面を３つの側から、すなわちほぼ上から、遠位の側から、および下から包囲する。
【００３５】
アルバランレバー２は器具案内面２０を有していて、内視鏡の作業通路を通して挿通可能な器具がこれに接触することができる。本実施例では、器具案内面２０はアルバランレバー２に沿って斜めに延びており、すなわち図７〜図１０ではアルバランレバー２の近位の側を向くとともに、上方を向く側を向いている。
【００３６】
嵌込み形状部２１では、係止レバー２２の係止ラグまたはロックラグ２４が作用する。
係止レバー２２は本発明の係止手段を形成し、嵌込み形状部２１とともに本発明の係止装置を形成する。
【００３７】
係止レバー２２は、回転シャフト２３を介してアルバランレバー２と結合されている。係止レバー２２は、回転シャフト２３によってアルバランレバー２に対して相対的に旋回することができる。
【００３８】
係止レバー２２と回転シャフト２３はいずれも器具案内面２０と反対を向くほうのアルバランレバー２の側（すなわち図２ではアルバランレバー２の下側）に設けられている。係止レバー２２の遠位端は操作装置２５を形成する。係止レバー２２の遠位端がアルバランレバー２に向かって押圧されると、係止レバー２２が旋回し、それにより係止ラグ２４が嵌込み形状部２１から離れるように動く。係止レバー２２の遠位端がアルバランレバー２から離れるように動くと、係止レバー２２が旋回し、それにより係止ラグ２４が嵌込み形状部２１に近づくように動く。後者のケースでは、嵌込み形状部２１の近位の側が係止ラグ２４によって閉じられる。図７を参照。回転シャフト２３の遠位の領域には、係止レバー２２の遠位の区域にアルバランレバー２から離れるように初期応力をかける、たとえばばね（板ばねまたはコイルばね）のような図示しない押除け装置が配置されるのが好ましい。換言すると、係止ラグ２４を閉じる初期応力が係止レバー２２に対して印加される。このように、係止レバー２２が操作されていないとき、嵌込み形状部２１が係止ラグ２４によって閉じられる。すなわち図７は、操作されていない状態を示している。
【００３９】
このように、アルバランレバー２がシャフト区域１１に外嵌されているとき、係止ラグ２４の遠位の面がシャフト区域１１の円周面の近位の面に当接する。
シャフト区域１１へ外嵌された位置で、係止レバー２２の係止ラグ２４が嵌込み形状部２１で閉止または係止をしているとき、シャフト区域１１の円周面は係止ラグ２４と嵌込み形状部２１によって取り囲まれる。係止ラグ２４の遠位の面は、アルバランレバー２が遠位の方向で内視鏡ヘッド１から引き出され得るのを防止する。
【００４０】
アルバランレバー２の各構成要素はプラスチックで製作される。アルバランレバー２はプラスチックからたとえば３Ｄプリンタまたは射出成形によって製作することができる。３Ｄプリンタまたは射出成形による製作によってアルバランレバーを正確に、ただしそれでもなお少ないコストで製作することができる。これ以外の好適な製造方法も、それが正確で低コストな生産を可能にする限りにおいて適用することができる。
【００４１】
発明の機能
本発明によるアルバランレバー２が内視鏡ヘッド１の旋回シャフト１０のシャフト区域１１に装着されるとき、アルバランレバー２は、アルバランレバー２の嵌込み形状部２１が近位の方向に向くように、光学系延伸部１Ａとアルバランレバー支持延伸部１Ｂの間の内部空間へ挿入される。係止レバー２２を操作区域２５の押圧によって開き（図６および図８を参照）、それに伴い、アルバランレバー２の嵌込み形状部２１を旋回シャフト１０のシャフト区域１１に外嵌することができる。次いで係止レバー２２が閉じられ、このとき係止ラグ２４がシャフト区域１１の近位の側で（図５ではシャフト区域１１の左側下方で）、シャフト区域１１の前へと変位する。このようにして、アルバランレバー２が旋回シャフト１０のシャフト区域１１に係止される。
【００４２】
アルバランレバー２が上に述べたようにして内視鏡ヘッド１に配置されたとき、図示しないキャップを内視鏡ヘッド１の遠位の外側円周に据え付けることができる。このキャップは患者での内視鏡ヘッド１の挿入を容易にする。キャップは図１の上方を向く側に、すなわちアルバランレバー２によってマイクロ器具が押し入れられる、カメラ１７と照明装置１８が向いている側に、開口部を有している。
【００４３】
内視鏡の使用後、アルバランレバー２とキャップが取り外される。このとき操作区域２５を押すことで、係止ラグ２４がシャフト区域１１の近位の側から離れるように変位する。このようにしてアルバランレバー２を、旋回シャフト１０のシャフト区域１１から遠位の方向に引き出すことができる。アルバランレバー２とキャップを処分することができる。内視鏡ヘッド１を備える内視鏡だけが洗浄と滅菌に回される。
【００４４】
発明の作用
アルバランレバー２は、内視鏡の操作者がアクセスすることができる、滅菌包装された別個のモジュールとして意図することができる。
【００４５】
アルバランレバー２は内視鏡ヘッド１に容易に組付け可能かつ取外し可能である。係止レバー２２と嵌込み形状部２１からなる係止装置は、旋回シャフト１０のシャフト区域１１と形状接合式に結合し、これによって、アルバランレバー２を旋回させるための力を内視鏡ヘッド１からアルバランレバー２へと確実に伝達可能である。それにより、牽引ワイヤ３から空間的に切り離された、簡素かつ低コストなアルバランレバーが創出される。アルバランレバーはその幾何学的構造に基づいて数多くのアンダーカットを提供し、使用時にこれらに細菌などが付着する可能性があり、集中的な洗浄と滅菌をしてもこれがアルバランレバーに残るかもしれない。しかし、アルバランレバー２を１回の使用後に処分することができる。このようにして本発明によるアルバランレバー２は、次回の使用時における次回の患者への、内視鏡の使用時に内視鏡が接触した細菌などの伝播が回避される手段を形成する。
【００４６】
アルバランレバー２は、相応のシャフト区域１１を有する従来の内視鏡で適用することができる。
【００４７】
ワイヤ牽引通路はアルバランレバー２から分離されている。さらにワイヤ牽引通路は、キャップから分離されている。このようにワイヤ牽引通路は、汚染に暴露されるアンダーカット、エッジなどを含む比較的複雑なジオメトリを有する部材から分離されている。内視鏡ヘッドの中でワイヤ牽引通路が密閉されており、牽引ワイヤは周囲に対して完全に密閉される。ワイヤ牽引通路と牽引ワイヤの密閉は水密である。このようにして、細菌がワイヤ牽引通路に侵入し得ることや、牽引ワイヤと接触し得ることが回避される。
【００４８】
実施例２
第１の実施例では、係止レバー２２が本発明の係止手段を形成する。この第２の実施例（図面には示さず）では、スライダが本発明の係止手段を形成する。
【００４９】
嵌込み形状部２１は、アルバランレバー２がシャフト区域１１に外嵌されたとき、シャフト区域１１の円周面が３つの側で、すなわち近位の側から、上から、および遠位の側から包囲されるように構成される。
【００５０】
係止レバー２２に代えてスライダが、器具案内面２０に対して反対を向くアルバランレバーの側に設けられる。スライダは嵌込み形状部２１の下側を閉止するために、近位の方向へと変位することができる。スライダは嵌込み形状部２１の下側を開放するために、遠位の方向へと変位することができる。
第２の実施例のアルバランレバーも使用後に処分することができ、第１の実施例と同じ効果と利点をもたらす。
【００５１】
代替案
実施例１で言及したキャップは省略することができる。
１つの代替案では、第１の実施例の係止レバー２２は係止ラグ２４に代えて、シャフト区域１１にある貫通孔または止まり穴へ挿入することができる円筒ピンの形態を有することができる。この代替案では、内視鏡ヘッドの力伝達区域１０のシャフト区域１１と、アルバランレバー２の係止装置との間の形状接合式の結合は、係止レバー２２の近位の側の円筒ピンと、円筒ピンの形状に合わせて適合化されたシャフト区域１１の穴とによって構成される。この代替案では、シャフト区域１１そのものが断面で見て円形（円筒形）を有することさえできる。
【００５２】
本発明は十二指腸内視鏡で適用可能である。本発明の原理は超音波内視鏡でも、およびその他のどのような内視鏡でも適用することができる。
各実施例では、作業通路の端部にアルバランレバーを有する１つの作業通路が示されている。本発明は、それぞれの作業通路の端部にそれぞれ１つのアルバランレバーを有する複数の作業通路を有する内視鏡でも適用することができる。
説明した代替案を組み合わせることができ、いずれの実施例でも適用することができる。
【符号の説明】
【００５３】
１  内視鏡ヘッド
１Ａ  光学系延伸部
１Ｂ  アルバランレバー支持延伸部
２  アルバランレバー
３  牽引ワイヤ
９  レバー部材
１０  内視鏡ヘッドの力伝達区域
１１  シャフト区域
１３  ワイヤ牽引通路
１７  カメラ
１８  照明装置
２０  器具案内面
２１  嵌込み形状部
２２  係止レバー
２３  回転シャフト
２４  係止ラグ
２５  操作装置
【図１】
2019531143.tif 000003
【図２】
2019531143.tif 000004
【図３】
2019531143.tif 000005
【図４】
2019531143.tif 000006
【図５】
2019531143.tif 000007
【図６】
2019531143.tif 000008
【図７】
2019531143.tif 000009
【図８】
2019531143.tif 000010
【図９】
2019531143.tif 000011
【図１０】
2019531143.tif 000012
【国際調査報告】
2019531143.tif 000013
2019531143.tif 000014
2019531143.tif 000015
2019531143.tif 000016